(57)【特許請求の範囲】
【請求項１】
熱交換器、送風ファン、吹き出しグリル等を具備した空気調和機の室内ユニットにおいて、前記室内ユニットの前面に設けた前面枠と前面パネルを一対の開閉装置で連結し、前記開閉装置を一端が前記前面枠に設けた軸受け部に他端が前記前面パネルに設けた軸受け部にそれぞれ回動自在に軸支された軸を備えた第一の支持板と一端が前記前面枠に設けた溝状または長孔状の軸受け部に他端が前記前面パネルに設けた溝状または長孔状の軸受け部にそれぞれ回動かつ摺動自在に取り付けられた軸を備えた第二の支持板とを略中央部で回動自在に軸支して構成し、さらに前記第二の支持板の前面枠側軸部近傍に軸と逆方向に突出する保持板を設け、前記前面枠に設けた前記第二の支持板の軸受け部に並行に前面枠に保持壁を設置しかつ前記第二の支持板の前面枠側軸先端から前記保持板の先端までの距離よりも前記前面枠に設けた溝状または長孔状の軸受け部から前記保持壁までの距離が短くなるように配設して構成した空気調和機の室内ユニット。
【発明の詳細な説明】
【技術分野】
【０００１】
本発明は、空気調和機の室内ユニットに関するものである。
【背景技術】
【０００２】
従来の空気調和機の室内ユニットとして、前面の下側に吹き出しグリルを設け、前記吹き出しグリルの上方に、空気吸込口を開閉する前面パネルを設け、本体に内蔵された開閉装置で前記前面パネルを開閉するものがあった（例えば、特許文献１参照）。
【０００３】
図２、図３は、それぞれ特許文献１に記載された従来の空気調和機の室内ユニットの斜視図、横断面図であり、図４、図５は、それぞれ同室内ユニットの運転時の開閉装置を示す拡大図、斜視図である。
【０００４】
図２から図５に示すように、前面パネル３は、熱交換器４、送風ファン５、吹き出しグリル６および風向変更羽根７を有する室内ユニット１の前面枠２に左右一対の開閉装置８を介して取り付けられている。
【０００５】
開閉装置８は、一端が前面枠２に設けた軸受け部２ａに他端が前面パネル３に設けた軸受け部３ａにそれぞれ回動自在に軸支された前面パネル側軸９ａおよび前面枠側軸９ｂを備えた第一の支持板９と、一端が前面枠２に設けた溝状または長孔状の軸受け部２ｂに他端が前面パネル３に設けた溝状または長孔状の軸受け部３ｂにそれぞれ回動かつ摺動自在に取り付けられた前面パネル側軸１０ａおよび前面枠側軸１０ｂを備えた第二の支持板１０からなり、さらに第一の支持板９と第二の支持板１０は略中央部において軸１１で回動自在に連結されている。
【０００６】
また第一の支持板９は一体的に回動するようにギア１２ａと結合設置され、ギア１２ｂを介して駆動装置１２により駆動される。
【０００７】
前面パネル３は、駆動装置１２により運転時には前方に移動して空気吸込口を確保し、運転停止時には前面枠２に密接させることができる。
【特許文献１】特開２００５−１４７６１８号公報
【発明の開示】
【発明が解決しようとする課題】
【０００８】
しかしながら、前記従来の構成では、開閉装置の動作を維持するために各軸が軸受け部にそれぞれ回動自在または回動かつ摺動自在に保持される必要があり、たとえば支持板９の先端部分を二股のアーム部９ｃおよびアーム部９ｃに設けた分割軸９ａａおよび９ａｂにより形成して、アーム部９ｃを弾性によりたわませ分割軸９ａａおよび９ａｂ間に隙間を発生させて軸受け部３ａに設置し左右から挟持する構成とすることがあった。
【０００９】
回動する前面パネル側軸９ａ、前面枠側軸９ｂおよび摺動する距離が短い前面パネル側軸１０ａはそれぞれ軸受け部２ａ、３ａおよび３ｂを左右から挟持する構成とすることができるが、摺動する距離が長く回動量も大きい前面枠側軸１０ｂは軸受け部２ｂが大きくなりアーム部と干渉するために同等の構成を採ることができず、別途固定具等を設ける必要があり、組み立てが煩雑でコストが掛かるという課題を有していた。
【００１０】
本発明は、前記従来の課題を解決するもので、簡単な構造で前面パネルの開閉装置を保持して動作不良を防止できる空気調和機を提供することを目的とする。
【課題を解決するための手段】
【００１１】
前記従来の課題を解決するために、本発明の空気調和機は、従来の開閉装置に加えて第二の支持板の前面枠側軸部近傍に軸と逆方向に突出する保持板を設け、前面枠に設けた第二の支持板を取り付ける軸受け部に並行に前面枠に保持壁を設置しかつ第二の支持板の前面枠側軸先端から保持板の先端までの距離よりも前面枠に設けた溝状または長孔状の軸受け部から保持壁までの距離が短くなるように保持壁を配設して構成されるものである。
【００１２】
これによって、空気調和機の室内ユニットは簡単な構造で前面パネルの開閉装置を保持して動作不良を防止することができる。
【発明の効果】
【００１３】
本発明の空気調和機の室内ユニットによれば、簡単な構造で前面パネルの開閉装置を保持して動作不良を防止することができ、より品質のよい空気調和機を安価に提供することができる。
【発明を実施するための最良の形態】
【００１４】
本発明は、熱交換器、送風ファン、吹き出しグリル等を具備した空気調和機の室内ユニットにおいて、前記室内ユニットの前面に設けた前面枠と前面パネルを一対の開閉装置で連結し、前記開閉装置を一端が前記前面枠に設けた軸受け部に他端が前記前面パネルに設けた軸受け部にそれぞれ回動自在に軸支された軸を備えた第一の支持板と一端が前記前面枠に設けた溝状または長孔状の軸受け部に他端が前記前面パネルに設けた溝状または長孔状の軸受け部にそれぞれ回動かつ摺動自在に取り付けられた軸を備えた第二の支持板とを略中央部で回動自在に軸支して構成されるものである。
【００１５】
さらに前記第二の支持板の前面枠側軸部近傍に軸と逆方向に突出する保持板を設け、前記前面枠に設けた前記第二の支持板の軸受け部に並行に前面枠に保持壁を設置しかつ前記第二の支持板の前面枠側軸先端から前記保持板の先端までの距離よりも前記前面枠に設けた溝状または長孔状の軸受け部から前記保持壁までの距離が短くなるように配設して構成されるものである。
【００１６】
これにより、開閉装置の軸が軸受け部に回動かつ摺動自在に保持され、簡単な構造で前面パネルの開閉装置を保持して動作不良を防止する空気調和機の室内ユニットを提供することができる。
【００１７】
以下、本発明の実施の形態について、図面を参照しながら説明する。なお、この実施の形態によって本発明が限定されるものではない。
【００１８】
（実施の形態）
図１は、本発明の実施の形態における空気調和機の室内ユニットの開閉装置の正面図である。図１において、従来の技術の図２から図５と同じ構成要素については同じ符号を用い、説明を省略する。
【００１９】
図１において、第二の支持板１０には前面枠側軸１０ｂ近傍に軸１０ｂと逆方向に突出する保持板１０ｃを設け、また前面枠２には第二の支持板１０を取り付ける軸受け部２ｂに並行に保持壁２ｃを設置し、かつ軸１０ｂ先端から保持板１０ｃの先端までの距離Ｌ１よりも軸受け部２ｂから保持壁２ｃまでの距離Ｌ２が短くなるように保持壁２ｃを配設する。
【００２０】
以上のように構成された空気調和機の室内ユニットについて、以下その動作、作用を説明する。
【００２１】
まず、前面枠２の軸受け部２ｂに第二の支持板１０の軸１０ｂを挿入設置する場合、軸１０ｂ先端から保持板１０ｃの先端までの距離Ｌ１よりも軸受け部２ｂから保持壁２ｃまでの距離Ｌ２が短いため、そのままでは設置することができないので、軸受け部２ｂをたわませて一時的に距離Ｌ２を距離Ｌ１以上にして、軸１０ｂを挿入する。
【００２２】
これにより第二の支持板１０は回動かつ摺動自在に軸受け部２ｂに取り付けられ、容易に外れることがなく、前面パネル２の開閉装置８を保持して動作不良を防止することができる。
【００２３】
以上のように、本実施の形態においては、熱交換器、送風ファン、吹き出しグリル等を具備した空気調和機の室内ユニットにおいて、前記室内ユニットの前面に設けた前面枠と前面パネルを一対の開閉装置で連結し、前記開閉装置を一端が前記前面枠に設けた軸受け部に他端が前記前面パネルに設けた軸受け部にそれぞれ回動自在に軸支された軸を備えた第一の支持板と一端が前記前面枠に設けた溝状または長孔状の軸受け部に他端が前記前面パネルに設けた溝状または長孔状の軸受け部にそれぞれ回動かつ摺動自在に取り付けられた軸を備えた第二の支持板とを略中央部で回動自在に軸支して構成する。
【００２４】
さらに前記第二の支持板の前面枠側軸部近傍に軸と逆方向に突出する保持板を設け、前記前面枠に設けた前記第二の支持板の軸受け部に並行に保持壁を設置しかつ前記軸先端から前記保持板の先端までの距離よりも前記軸受け部から前記保持壁までの距離が短くなるように配設して構成する。
【００２５】
これらにより、簡単な構造で前面パネルの開閉装置を保持して動作不良を防止することができ、より品質のよい空気調和機の室内ユニットを安価に提供することができる。
【産業上の利用可能性】
【００２６】
以上のように、本発明にかかる空気調和機の室内ユニットは、簡単な構造で前面パネルの開閉装置を保持して動作不良を防止することが可能となるので、パネルの開閉機構を有する送風機等の用途にも適用できる。
【図面の簡単な説明】
【００２７】
【図１】本発明の実施の形態における空気調和機の室内ユニットの開閉装置の正面図
【図２】従来の空気調和機の室内ユニットの斜視図
【図３】従来の空気調和機の室内ユニットの横断面図
【図４】従来の空気調和機の室内ユニットの運転時の開閉装置を示す拡大図
【図５】従来の空気調和機の室内ユニットの運転時の開閉装置を示す斜視図
【符号の説明】
【００２８】
１  室内ユニット
２  前面枠
２ａ  軸受け部
２ｂ  軸受け部
２ｃ  保持壁
３  前面パネル
３ａ  軸受け部
３ｂ  軸受け部
４  熱交換器
５  送風ファン
６  吹き出しグリル
７  風向変更羽根
８  開閉装置
９  第一の支持板
９ａ  軸
９ｂ  軸
９ｃ  アーム部
９ａａ、９ａｂ  分割軸
１０  第二の支持板
１０ａ  軸
１０ｂ  軸
１０ｃ  保持板
１１  軸
Ｌ１  軸１０ｂ先端から保持板１０ｃの先端までの距離
Ｌ２  軸受け部２ｂから保持壁２ｃまでの距離
【図１】
0004985256.tif 000002
【図２】
0004985256.tif 000003
【図３】
0004985256.tif 000004
【図４】
0004985256.tif 000005
【図５】
0004985256.tif 000006